(57)【要約】      （修正有）【課題】関節をまたぐ弾力性のあるサポーターを提供する。【解決手段】関節をまたぐ弾力性のあるサポーターであって、少なくとも一対の分離パーツ１、及び接続パーツ３を含み、分離パーツ１は、それぞれが遮蔽面と接触面を備えており、前記接触面が使用者に向いて使用され、且つ関節をまたいだ異なる箇所に取り外しが可能となるように固定され、接続パーツ３は、弾力方向に沿って伸びる弾力性を有し、少なくとも１つの弾力性のある作用セクション、及び前記作用セクションの両側に位置する固定・接続セクション３３を備え、固定・接続セクション３３と分離パーツ１が、固定パーツ５により固定されている。【選択図】図２
0003205732.tif 000002
【実用新案登録請求の範囲】
【請求項１】
関節をまたぐ弾力性のあるサポーターであって、
前記関節をまたぐ弾力性のあるサポーターは、少なくとも一対の分離パーツ、及び接続パーツを含み、
前記分離パーツは、それぞれが遮蔽面と接触面を備えており、前記接触面が使用者に向いて使用され、且つ関節をまたいだ異なる箇所に取り外しが可能となるように固定され、
前記接続パーツは、弾力方向に沿って伸びる弾力性を有し、少なくとも１つの弾力性のある作用セクション、及び前記作用セクションの両側に位置する固定・接続セクションを備え、
前記固定・接続セクションと前記分離パーツが、固定パーツにより固定されている、
関節をまたぐ弾力性のあるサポーター。
【請求項２】
前記固定パーツが、前記遮蔽面と前記接触面の間に塗布され粘着層である、請求項１に記載の関節をまたぐ弾力性のあるサポーター。
【請求項３】
前記固定パーツが、前記分離パーツと前記固定・接続セクションを縫合したものである、請求項１に記載の関節をまたぐ弾力性のあるサポーター。
【請求項４】
前記接続パーツが、弾力方向にそって設置された警告ラインを含み、
前記警告ラインには引張に対する閾値が設けられており、変形量が引張に対する閾値を超えた場合には、回復できない色に変化した状態が発生し、
前記警告ラインが、前記接続パーツの前記弾力性のある作用セクション及び前記固定・接続セクションの弾力係数より小さな弾力係数を備えている、請求項１〜３の何れか一項に記載の関節をまたぐ弾力性のあるサポーター。
【考案の詳細な説明】
【技術分野】
【０００１】
本考案は、使用者の関節をまたいだ少なくとも２か所の異なる場所に設置する、関節をまたぐ弾力性のあるサポーターの一種である。
【背景技術】
【０００２】
日常生活の中で、運動選手であれ、あるいは長期間にわたり重複した作業を行う作業員であれ、歳月の積み重ねにより、いわゆるスポーツ傷害や職業病がしばしば発生する。最もよく見られる損傷部位はくるぶし、ひざ、ひじ、手首、頸肩や腰であり、多くの部位はすべて関節の付近に位置している。関節の周囲には靭帯、腱、筋肉などが含まれ、多くの筋肉はすべて関節の両端をまたいでおり、また筋肉の両端の腱はそれぞれ関節の両端の長骨上につながっている。筋肉の収縮と拡張時に長骨を牽引し、関節を筋肉の伸縮にともない湾曲できるようにしているため、関節の両端の関節をまたいだ箇所は開く角度が相対的に変化する。一旦負傷すると、一挙一動ごとに負傷した部位は影響を受け、非常に耐えがたい痛みとなる。そして弾力性のあるサポーターで負傷部位を保護し、治療の手助けをする必要がある。相対的にプロスポーツ選手では、過度のがんばりにより古傷が再発することを心配する場合もあり、事前に弾力性のあるサポーターを着用することで、この類の負傷を回避することができる。
【０００３】
テープやサポーターを使用することにより、痛みの緩和、循環の促進と姿勢の矯正などの作用を得ることができる。現在市場で最も広くみられるテープやサポーターの多くは、図１に示すようなまる一面あるいはまる１枚の構造である。しかしながら、活動の量が最も多い関節箇所に従来のテープやサポーターを取り付ける場合、しばしば隣接する部位の関節あるいは筋肉の伸縮量の違いにより、まる１枚でのテープは容易に落ちたり移動してしまったりする。特にまる１枚でのテープ９の弾力性は同じであり、関節部分が強烈に引っ張られたとしても、関節箇所から離れた筋肉部分が形状の変化を分担することができない。そのため、テープの効果が得られにくい。
【０００４】
一方、硬質の保護器具の多くは、両端の固定構造に頼ることで関節をまたいだ２か所の異なる箇所に巻きつけて固定することができる。しかしながら、関節をまたいだ２か所の間にある関節部分には、硬質な保護を提供するのみであり、いかなる弾力性のあるサポーターも提供されていなため、効果的に上述の負傷の予防あるいは治療をすることはできない。また、この種類の硬質な保護器具も、四肢の活発な運動をさらに制限するため、スポーツ選手あるいは使用者の運動状態が制限を受けることとなる。
【考案の概要】
【考案が解決しようとする課題】
【０００５】
上述の問題を解決すべく、本考案では関節をまたぐ弾力性のあるサポーターを提供する。少なくとも一対の分離パーツを利用し、ある関節の両側をまたいだ箇所にそれぞれ固定され、さらにその間の弾力性のある接続パーツを介して、両側の固定・接続セクションをそれぞれ前述の分離パーツと結合させ、固定・接続セクションの間に１つの弾力性のある作用セクションを形成し、弾力性のある作用セクションが関節をまたぎ、十分な弾力性のある補助効果を提供する。関節の周囲の筋力にバランスを保たせるほか、筋肉の強度アップ、正常な筋力と関節の活動度合いの回復あるいは維持を手助けすることができる。
【０００６】
本考案の１つ目の目的は、関節をまたぐ弾力性のあるサポーターの提供であり、弾力性のある接続パーツにより、分離され且つ相対する分離パーツを接続し、分離パーツを使用者の関節をまたいだ箇所に固定することから、使用者の関節は完全に拘束を受けず、使用者の活動が制限を受けないようにすることができる。
【０００７】
本考案のもう１つの目的は、関節をまたぐ弾力性のあるサポーターの提供であり、弾力性のある接続パーツは関節をまたいだ異なる箇所の間に位置していることから、弾力性のある接続パーツは関節の向きに沿って弾力を提供し、効果的に筋肉の作用を導く手助けをして、筋肉の協調能力を促進することができる。
【０００８】
本考案のもう１つの目的は、関節をまたぐ弾力性のあるサポーターの提供であり、関節をまたぐ弾力性のあるサポーターはまる一面あるいはまる一枚ではないことから、分離パーツは関節をまたいだ伸縮が比較的小さな箇所に固定され、伸縮の強烈な関節部分は固定されないため、使用して動作を行う際に、関節をまたぐ弾力性のあるサポーターは簡単にゆるんだり位置がずれたりすることがない。
【課題を解決するための手段】
【０００９】
上述の目的を達成するために、本考案では関節をまたぐ弾力性のあるサポーターを提供し、前記サポーターは、少なくとも一対の分離パーツ及び接続パーツを含み、前記分離パーツは、それぞれが遮蔽面と接触面を備えており、前記接触面が使用者の方向に向いて使用され、且つ関節をまたいだ異なる箇所に取り外しが可能となるように固定され、前記接続パーツは、弾力方向に沿って伸びる弾力性を有し、少なくとも１つの弾力性のある作用セクション及び前記作用セクションの両側に位置する固定・接続セクションを備え、前記固定・接続セクションと前記分離パーツが、固定パーツにより固定されている。
【００１０】
上述の関節をまたぐ弾力性のあるサポーターの特徴の中で、前記分離パーツと連結する前記弾力性のある接続パーツは、少なくとも１か所の弾力性のある作用セクション及び弾力性のある作用セクションの両側に位置する固定・接続セクションを備え、それぞれの前記固定・接続セクションは、それぞれが前記分離パーツに接続・固定される。前記弾力性のある接続パーツは、弾力性のあるゴムプレートあるいは弾力性繊維布などの材料を選択することができ、本考案が公開する関節をまたぐ弾力性のあるサポーターを、弾力性が高いだけでなく、使用範囲が広く、また使用者の姿勢と動作に調和しコントロールでき、筋肉群の張力の安定を保つことができるようにしている。
【図面の簡単な説明】
【００１１】
【図１】良く知られたテープを貼り付ける位置であり、使用者の肘関節の側面の概略図である。まる１枚でのテープの弾力性は同じであり、関節の動きが頻繁である場合、容易にテープの位置の移動あるいは粘着性の悪化が起こることを示している。
【図２】本考案の関節をまたぐ弾力性のあるサポーターの、１つ目の比較的良好な実施形態の正面図であり、分離パーツと弾力性のある接続パーツの接続関係と弾力性のある接続パーツの構造を示している。
【図３】図２の実施形態の側面の概略図であり、分離パーツと弾力性のある接続パーツの上下の対応する状況を示している。
【図４】本新考案の関節をまたぐ弾力性のあるサポーターの、１つ目の比較的良好な実施形態であり、使用者の肘関節の側面からの概略図であり、使用者が関節をまたぐ弾力性のあるサポーターを使用した際の状況を示している。
【図５】本考案の関節をまたぐ弾力性のあるサポーターの、２つ目の比較的良好な実施形態の正面図であり、弾力性のある接続パーツの開口部と警告ラインの設置状況を示している。
【図６】図５の実施形態の側面からの概略図であり、分離パーツと弾力性のある接続パーツの上下の対応する状況を示している。
【図７】本考案の関節をまたぐ弾力性のあるサポーターの、第２の比較的良好な実施形態の、使用者の関節箇所の側面からの概略図である。使用者が関節をまたぐ弾力性のあるサポーターを使用した際の状況を示している。
【図８】本考案の関節をまたぐ弾力性のあるサポーターの、第３の比較的良好な実施形態の正面図であり、分離パーツと弾力性のある接続パーツの間の接続状況を示している。
【考案を実施するための形態】
【００１２】
本考案の技術的な内容、特徴と性能に関し、図面を参照しながら、比較的良好な実施形態について説明する。なお、各実施形態の中で、同じ構成要素は同様の参照番号を用いるものとする。
【００１３】
図２から図４は、本考案の関節をまたぐ弾力性のあるサポーターの、１つ目の比較的良好な実施形態を示している。本考案の関節をまたぐ弾力性のあるサポーターは、一対の互いに分離し且つ相対的な分離パーツ１と、上述の分離パーツ１の間に設置され、上述の分離パーツ１と連動する弾力性のある接続パーツ３を備える。上述の分離パーツ１は、例えば、弾力性をわずかに備えるテープが挙げられ、上下の２つの部分に分かれ、使用者の体の表面に貼られる下側を接触面１３とし、反対に接触面１３の上側を遮蔽面１１としている。上述の遮蔽面１１は、片面が接触面１３の方向に面している遮蔽面１１の内側１１１とし、外部に露出している遮蔽面１１の外側を１１３として区別する。また、上述の接触面１３も、接触面１３に面している接触面の内側１３１と、粘着のための接触面の外側１３３として区別する。
【００１４】
本実施形態の中で、接続パーツ３は、例えば、弾力性のあるゴムプレートが挙げられる。弾力性のあるゴムプレートの延伸方向を弾力方向とする。弾力性のある接続パーツ３の両端は、それぞれ上述の接触面の内側１３１と遮蔽面の内側１１１の間に挟まれており、さらに例えば粘着の方法で分離パーツ１と結合される。説明しやすいように、ここでは弾力性のある接続パーツ３の両端の粘着結合のための部分を固定・接続セクション３３とし、テープを粘着し固定・接続する弾力性のあるゴムプレートのゴム側を固定パーツ５とする。両方の固定・接続セクション３３の間にあり、弾力方向にそって伸び、且つ固定されていない部分を弾力性のある作用セクション３１とする。
【００１５】
本実施形態では、使用者の方向に向いているそれぞれの接触面の外側１３３に均一に塗布されている粘着層２と、上述の粘着層２がほかの場所に粘着するのを防止する離型フィルム４がある。使用者が本製品を使用する際に、接触面の外側１３３の離型フィルム４をはがすだけで、分離パーツ１の１つを、使用者の例えば上腕三頭筋の外側、上腕の関節をまたいだ箇所の上へ貼り付けることができる。その後で、もう１つの分離パーツ１を使用者の例えば尺骨の外側、前腕の伸筋の関節をまたいだ箇所に貼りつけ、弾力性のある作用セクション３１を肘関節の外側に位置させる。肘関節が湾曲する際に、両方の分離パーツ１はそれぞれ安定して上腕と前腕に貼付られ、その間の弾力性のある作用セクション３１は分離パーツ１と比較して弾力係数と弾力にすぐれ、肘関節が湾曲する際に弾力性への回復力を提供し、ひじ関節の湾曲時の過度な力の作用のリスクを低減させる。
【００１６】
もちろん、当業者であれば、本考案の弾力性のある接続パーツの素材も、例えば弾力性繊維布などの類似した材質を選ぶことができる。図５から図７は、本考案の第２の比較的良好な実施形態を示している。分離パーツ１’は、横向きに設置された２か所の長い面ファスナーを少なくとも含んでいる。上述の長い面ファスナーの両端はそれぞれフック面とループ面に分かれており、取り外し可能で使用者の関節をまたいだ異なる箇所に固定する為に提供されており、また繰り返して使用することができる。本実施形態の中の、弾力性のある接続パーツ３’は、両側の固定・接続セクション３３’を用い、それぞれの縫合線を固定パーツ５’として、２か所の分離パーツ１’のマスキング面１１’の上に縫合糸等により縫合されている。また本実施形態の中で、上述の弾力性のある接続パーツ３’の弾力の方向に沿って、別途弾力性のある作用セクション３１’に開口部３０’を１つ形成し、使用者の肘関節に対応するのに用い、弾力性のある接続パーツ３’が移動しないよう確保している。
【００１７】
特に、弾力性のある接続パーツ３’は繰り返し使用されるため、長期的な使用の下、弾力性のある接続パーツ３’には弾性疲労が発生する。このため本実施形態では、より弾力性のある接続パーツ３’の弾力性繊維布に、弾力方向に沿い、別途少なくとも１本以上の警告ライン７’を織り込んでいる。上述の警告ライン７’には引張に対する閾値があり、上述の引張に対する閾値を超えて形状を変化させた場合、元に戻せない色の変化が発生するようになっている。もちろん、警告ライン７’の弾力係数は、上述の弾力性のある接続パーツ３’の弾力性のある作用セクション３１’及び固定・接続セクション３３’より小さく、使用者に該当する製品の効果がすでに失われ始め、使用を続けることができないことを注意するためである。
【００１８】
一方、本考案の関節をまたぐ弾力性のあるサポーターは、単一の関節箇所をまたぐだけに制限されていない。例えばすねを負傷した場合、太ももから膝関節をまたぎ、すねを経由してさらにくるぶしの関節をまたぎ足部に到る弾力性のあるサポーターが必要な可能性がある。このため本考案では、３つ目の比較的良好な実施形態に示す通り（図８参照）、弾力方向に沿って伸びる弾力性のある接続パーツ３’’を採用し、また三段階にわかれた固定・接続セクション３３’’を、例えばホットメルト方式により３箇所の分離パーツ１’’と結合させ、且つそれぞれの分離パーツ１’’は例えばすべて弾力包帯とし、巻き付ける方法により、接触面を使用者の肌に向けて設置することができる。
【００１９】
上述の内容を総合すると、本考案では分離パーツを利用して、関節をまたぐ弾力性のあるサポーターの全体が取り外し可能となり、使用者の関節をまたいだ異なる箇所に設置でき、弾力性のある接続パーツの弾力性のある作用セクションは自由に伸縮し、比較的良好な補助の導入効果を発揮し、傷害の発生あるいは拡大を予防し、特に全体の構造が簡単で、使用上に便利であり、異なるリクエストに対応することができ、使用範囲が広い。さらに弾力性のある接続パーツの構造は、筋肉の方向を導くのに非常に優れた効果がある他、筋肉の協調能力を促進することができる。関節をまたぐ弾力性のあるサポーターは、使用者が必要とする部分によって柔軟に使用することができ、使用者の活動をより便利にでき、現在の技術を超越し、十分に本考案の目的を達成できる。上述の内容は本実用新案の比較的良好な実施形態にすぎず、本実用新案の実施範囲を限定するものではない。すなわち、本考案の実用新案登録請求の範囲及び明細書に記載された内容に従って行う簡単な変更による同等の効果は、本実用新案登録請求の範囲内である。
【符号の説明】
【００２０】
１、１’、１’’        分離パーツ
１１、１１’            遮蔽面
１１１                  遮蔽面の内側
１１３                  遮蔽面の外側
１３                    接触面
１３１                  接触面の内側
１３３                  接触面の外側
２                      粘着層
３、３’、３’’        弾力性のある接続パーツ
３０’                  開口部
３１、３１’            弾力性のある作用セクション
３３、３３’、３３’’  固定・接続セクション
４                      離型フィルム
５、５’                固定パーツ
７’                    警告ライン
９                      テープ
【図１】
0003205732.tif 000003
【図２】
0003205732.tif 000004
【図３】
0003205732.tif 000005
【図４】
0003205732.tif 000006
【図５】
0003205732.tif 000007
【図６】
0003205732.tif 000008
【図７】
0003205732.tif 000009
【図８】
0003205732.tif 000010